(57)【要約】【課題】カメラからのシンクロ信号が使えない場合においても、照明装置の発光後に主コンデンサへの充電を開始することができる電源装置を提供する。【解決手段】本発明に係わる電源装置は、電源（１０）を備え、該電源から得られる電力を、照明光を発光する照明装置（２）に対して供給する電源装置（１）であって、前記電源の電源電圧を昇圧することにより、前記照明装置に対して供給する充電電圧を出力する昇圧回路（１３）と、前記照明装置から発せられた照明光を検知すると検知信号を発する光検知部から、前記検知信号が発せられると、前記昇圧回路へ前記電源電圧を供給して前記昇圧の動作を開始させる昇圧制御回路（１６）と、を備える。【選択図】図１
2010262064.tif 000002
【特許請求の範囲】
【請求項１】
電源を備え、該電源から得られる電力を、照明光を発光する照明装置に対して供給する電源装置であって、
前記電源の電源電圧を昇圧することにより、前記照明装置に対して供給する充電電圧を出力する昇圧回路と、
前記照明装置から発せられた照明光を検知すると検知信号を発する光検知部から、前記検知信号が発せられると、前記昇圧回路へ前記電源電圧を供給して前記昇圧の動作を開始させる昇圧制御回路と、
を備えることを特徴とする電源装置。
【請求項２】
請求項１に記載の電源装置であって、
前記昇圧回路から出力された充電電圧の電圧レベルを検出する充電電圧検出回路を備え、
前記昇圧制御回路は、前記充電電圧検出回路で充電電圧が所定電圧レベルに達したことが検出されると、前記昇圧回路への前記電源電圧の供給を停止することを特徴とする電源装置。
【請求項３】
請求項１又は２に記載の電源装置であって、
前記光検知部は、所定レベル以上の発光量を検知したときに前記検知信号を発することを特徴とする電源装置。
【請求項４】
請求項１〜３のいずれか一項に記載の電源装置であって、
前記昇圧制御回路は発振回路を含み、且つ前記光検知部から前記検知信号が出力されないときには、前記発振回路での発振動作を停止することを特徴とする電源装置。
【請求項５】
請求項２に記載の電源装置であって、
前記光検知部で前記検知信号が発せられたときから所定時間内に前記充電電圧検出回路において前記充電電圧が前記所定電圧レベルに達したことが検出されない場合は、前記電源から前記昇圧制御回路への前記電源電圧の供給を停止させるワンショット回路、を更に備えることを特徴とする電源装置。
【請求項６】
請求項１〜５のいずれか一項に記載の電源装置であって、
前記光検知部を具備することを特徴とする電源装置。
【請求項７】
請求項１〜５のいずれか一項に記載の電源装置であって、
前記光検知部は前記照明装置に設けられており、
前記検知信号を受信する受信部を具備することを特徴とする電源装置。
【請求項８】
請求項６又は７に記載の電源装置であって、
前記光検知部は、外部からの入射光を遮光する遮光手段を備えることを特徴とする電源装置。
【発明の詳細な説明】
【技術分野】
【０００１】
本発明は、照明装置に電力を供給する電源装置に関するものである。
【背景技術】
【０００２】
カメラの写真撮影に用いられる照明装置は、照明光を発光して被写体に照射するものである。このような照明装置による発光を多用すると、照明装置内に装填された電池だけでは主コンデンサの充電に時間がかかるようになる。このため、照明装置による発光を多用する写真撮影では、照明装置に外付けの電源装置を接続して、発光可能間隔をより短くするようにしている。従来の電源装置は、電源がオンすると、照明装置における発光の有無にかかわらず昇圧動作を繰り返し行っている。従って、発光間隔が長い場合には、電池が無駄に消耗することになる。このような電源装置に対する従来技術の一つとして、カメラ側から送信されるシンクロ信号を用い、照明装置が発光したタイミングで電源装置の昇圧動作を開始するようにしたものが知られている（特許文献１参照）。
【先行技術文献】
【特許文献】
【０００３】
【特許文献１】特開平３−２３７４４１号公報
【発明の概要】
【発明が解決しようとする課題】
【０００４】
上記従来技術では、カメラからのシンクロ信号を電源装置での昇圧動作の開始に用いているため、電源装置にシンクロ端子やカメラと電源装置との間を接続するケーブルが必要となる。また、カメラからのシンクロ信号を使えない場合、例えば、ワイヤレスの多灯撮影において、リモートの照明装置を充電する場合や、シンクロ信号出力の無い発光に対して、その発光後に照明装置を受電する場合などには、シンクロ端子やケーブルを備えていても対応することは困難であった。
【０００５】
本発明の課題は、カメラからのシンクロ信号が使えない場合においても、照明装置の発光後に主コンデンサへの充電を開始することができる電源装置を提供することにある。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、電源（１０）を備え、該電源から得られる電力を、照明光を発光する照明装置（２）に対して供給する電源装置（１）であって、前記電源の電源電圧を昇圧することにより、前記照明装置に対して供給する充電電圧を出力する昇圧回路（１３）と、前記照明装置から発せられた照明光を検知すると検知信号を発する光検知部から、前記検知信号が発せられると、前記昇圧回路へ前記電源電圧を供給して前記昇圧の動作を開始させる昇圧制御回路（１６）と、を備えることを特徴とする。
請求項２に記載の発明は、請求項１に記載の電源装置（１）であって、前記昇圧回路（１３）から出力された充電電圧の電圧レベルを検出する充電電圧検出回路（１７）を備え、前記昇圧制御回路（１６）は、前記充電電圧検出回路で充電電圧が所定電圧レベルに達したことが検出されると、前記昇圧回路（１３）への前記電源電圧の供給を停止することを特徴とする。
請求項３に記載の発明は、請求項１又は２に記載の電源装置であって、前記光検知部は、所定レベル以上の発光量を検知したときに前記検知信号を発することを特徴とする。
請求項４に記載の発明は、請求項１〜３のいずれか一項に記載の電源装置（１）であって、前記昇圧制御回路（１６）は発振回路（１６ａ）を含み、且つ前記光検知部から前記検知信号が出力されないときには、前記発振回路での発振動作を停止することを特徴とする。
請求項５に記載の発明は、請求項２に記載の電源装置（１）であって、前記光検知部で前記検知信号が発せられたときから所定時間内に前記充電電圧検出回路（１７）において前記充電電圧が前記所定電圧レベルに達したことが検出されない場合は、前記電源（１０）から前記昇圧制御回路（１６）への前記電源電圧の供給を停止させるワンショット回路を、更に備えることを特徴とする。
請求項６に記載の発明は、請求項１〜５のいずれか一項に記載の電源装置（１）であって、前記光検知部（１８）を具備することを特徴とする。
請求項７に記載の発明は、請求項１〜５のいずれか一項に記載の電源装置（１Ａ）であって、前記光検知部（１８）は前記照明装置（２）に設けられており、前記検知信号を受信する受信部（１９）を具備することを特徴とする。
請求項８に記載の発明は、請求項６又は７に記載の電源装置（１，１Ａ）であって、前記光検知部は、外部からの入射光を遮光する遮光手段（７，７Ａ）を備えることを特徴とする。
なお、符号を付して説明した構成は、適宜改良してもよく、また、少なくとも一部を他の構成物に代替してもよい。
【発明の効果】
【０００７】
本発明によれば、カメラからのシンクロ信号が使えない場合においても、照明装置の発光後に主コンデンサへの充電を開始することができる電源装置を提供することができる。
【図面の簡単な説明】
【０００８】
【図１】第１実施形態における電源装置の回路構成図である。
【図２】第１実施形態における照明装置の回路構成図である。
【図３】光検知回路の回路構成図である。
【図４】第１実施形態における電源装置の外観図である。
【図５】第１実施形態の照明装置におけるコネクタの取り付け位置を示す外観図である。
【図６】第２実施形態における電源装置の回路構成図である。
【図７】第２実施形態における電源装置の外観図である。
【図８】第２実施形態の照明装置におけるコネクタの取り付け状態を示す外観図である。
【発明を実施するための形態】
【０００９】
以下、図面を参照して、本発明に係わる電源装置の実施形態について説明する。なお、以下の説明において、信号の状態がＨｉｇｈ（又は１）レベルであることを“Ｈレベル”といい、Ｌｏｗ（又は０）レベルであることを“Ｌレベル”という。
（第１実施形態）
【００１０】
図１は、第１実施形態における電源装置１の回路構成図である。図１に示すように、電源装置１は、電源部１０、定電圧回路１１、ワンショット回路１２、昇圧回路１３、整流回路１４、起動回路１５、昇圧制御回路１６、充電電圧検出回路１７、光検知回路１８、ゲート素子Ｇ１、Ｇ２、及びスイッチング素子ＳＷ１、ＳＷ２を備える。
【００１１】
電源部１０は、電源装置１の電源となる電池が装填される電池室である。電源部１０からは、所定電圧の電源電圧Ｖｃｃが出力される。
【００１２】
定電圧回路１１は、電源部１０から出力された電源電圧Ｖｃｃに基づいて、昇圧動作電圧Ｖｓを出力する回路である。定電圧回路１１から出力される昇圧動作電圧Ｖｓは、ワンショット回路１２、起動回路１５、及びスイッチング素子ＳＷ１のソース（Ｓ）に供給される。また、昇圧動作電圧Ｖｓは、昇圧が開始されると、スイッチング素子ＳＷ１を介して昇圧制御回路１６に供給される。
【００１３】
ワンショット回路１２は、後述の照明装置２における充電状態に応じて、昇圧回路１３への電源電圧Ｖｃｃの供給を停止する回路である。ワンショット回路１２は、入力側が起動回路１５と接続され、出力側がゲート素子Ｇ１、Ｇ２と接続されている。
【００１４】
ゲート素子Ｇ１の入力端子Ａは、ワンショット回路１２の出力側と接続されている。また、ゲート素子Ｇ１の入力端子Ｂは、起動回路１５の出力側と接続されている。ゲート素子Ｇ１の出力端子Ｘは、スイッチング素子ＳＷ１のゲート（Ｇ）と接続されている。スイッチング素子ＳＷ１は、上述のように、ソース（Ｓ）が定電圧回路１１と接続され、ドレイン（Ｄ）が後述の昇圧制御回路１６と接続されている。定電圧回路１１から出力された昇圧動作電圧Ｖｓは、スイッチング素子ＳＷ１がオンすると、ドレイン（Ｄ）から昇圧動作電圧Ｖｏｕｔとして昇圧制御回路１６へ出力される。
【００１５】
ゲート素子Ｇ２の反転入力端子／Ａは、ワンショット回路１２の出力側と接続されている。ゲート素子Ｇ２の入力端子Ｂは、起動回路１５の出力側と接続されている。ゲート素子Ｇ２の出力端子Ｘは、ランプＬ２と接続されている。ランプＬ２は、ユーザに昇圧動作の強制的な停止を知らせる表示手段である。ランプＬ２は、ゲート素子Ｇ２の出力端子ＸがＬレベルのときに消灯し、Ｈレベルのときに点灯する。ランプＬ２は、充電中はゲート素子Ｇ２の出力端子ＸがＬレベルとなるため消灯している。また、後述するように、昇圧動作が強制的に停止したときは、ゲート素子Ｇ２の出力端子ＸがＨレベルとなるため点灯する。なお、ランプＬ２及び後述するランプＬ１は、発光ダイオード（ＬＥＤ）により構成されている。
【００１６】
ワンショット回路１２は、後述する起動回路１５の出力端子Ｑ（ラッチ回路１５ａ）がＨレベルになると、ゲート素子Ｇ１の入力端子Ａ、及びゲート素子Ｇ２の反転入力端子／Ａの入力をＨレベルとする。これにより、ゲート素子Ｇ１は、入力端子Ａ、ＢがＨレベルとなるため、出力端子ＸはＬレベルとなる。ゲート素子Ｇ１の出力端子ＸがＬレベルになると、スイッチング素子ＳＷ１のゲート（Ｇ）はＬレベルとなる。この結果、スイッチング素子ＳＷ１がオンし、昇圧動作電圧Ｖｓは、ドレイン（Ｄ）から昇圧動作電圧Ｖｏｕｔとして昇圧制御回路１６へ出力される。一方、ゲート素子Ｇ２では、反転入力端子／ＡがＬレベル、入力端子ＢがＨレベルとなるため、出力端子ＸはＬレベルとなる。従って、ランプＬ２は消灯する。
【００１７】
また、ワンショット回路１２は、起動回路１５の出力端子ＱがＨレベルになったときから、不図示のタイマを起動して所定時間の計時を開始する。そして、所定時間内に、起動回路１５の出力端子ＱがＬレベルにならない場合は、定電圧回路１１から昇圧制御回路１６への昇圧動作電圧Ｖｓの供給を停止する制御を行っている。昇圧制御回路１６は、昇圧動作電圧Ｖｓの供給が停止すると、発振回路１６ａにおける発振動作が停止する。これにより、昇圧制御回路１６から所定レベルのゲート電圧がスイッチング素子ＳＷ２のゲート（Ｇ）に出力されなくなり、ソース（Ｓ）とドレイン（Ｄ）との間が非導通となって、トランスＴの一次巻線Ｔｆには、電源電圧Ｖｃｃが供給されなくなる。
【００１８】
すなわち、ワンショット回路１２は、後述の光検知回路１８で所定レベル以上の発光量を検知したときから所定時間内に、後述の充電電圧検出回路１７において充電電圧が所定電圧レベルに達したことが検知されない場合は、昇圧回路１３への電源電圧Ｖｃｃの供給を停止する機能を備える。なお、所定時間とは、昇圧回路１３が昇圧動作を開始してから、充電電圧に達するまでに要する平均的な充電時間である。従って、所定時間内に充電が完了しなければ、電源部１０の電池容量が低下していることが考えられる。
【００１９】
上述のように、起動回路１５の出力端子ＱがＨレベルとなったときから所定時間内に、出力端子ＱがＬレベルとならない場合、ワンショット回路１２は、ゲート素子Ｇ１の入力端子Ａ、及びゲート素子Ｇ２の反転入力端子／Ａの入力をＬレベルとする。これにより、ゲート素子Ｇ１では、入力端子ＡがＬレベル、入力端子ＢがＨレベルとなるため、出力端子ＸはＨレベルとなる。すると、スイッチング素子ＳＷ１がオフして、ドレイン（Ｄ）から昇圧制御回路１６への昇圧動作電圧Ｖｏｕｔの出力が停止する。すなわち、昇圧動作電圧Ｖｓは定電圧回路１１からトランスＴの一次側に供給されない状態となる。また、ゲート素子Ｇ２では、反転入力端子／ＡがＨレベル、入力端子ＢはＨレベルとなるため、出力端子ＸはＨレベルとなる。これにより、ランプＬ２はＨレベルとなり、ユーザに昇圧動作の強制的な停止を知らせるランプＬ２が点灯する。
【００２０】
昇圧回路１３は、トランスＴを備える。トランスＴの一次巻線Ｔｆには、電源部１０から電源電圧Ｖｃｃが供給される。この電源電圧Ｖｃｃは、後述の昇圧制御回路１６及びスイッチング素子ＳＷ２により変調された交番電圧である。トランスＴの一次巻線Ｔｆへ供給された電源電圧Ｖｃｃは、トランスＴで昇圧され、二次巻線Ｔｓから交流の高電圧が出力される。
【００２１】
整流回路１４は、昇圧回路１３から出力された交流の高電圧を直流の高電圧に変換して出力する回路である。整流回路１４で変換された直流の高電圧は、充電電圧として、電力用配線ｗ１、ｗ２を介して高電圧出力端子Ｔ１、Ｔ２に出力される。高電圧出力端子Ｔ１、Ｔ２は、後述する照明装置２の高電圧入力端子Ｔ３、Ｔ４と接続される端子である。
【００２２】
起動回路１５は、ラッチ回路１５ａを備える。ラッチ回路１５ａは、セット入力端子ＳＥＴと、反転リセット入力端子／ＲＥＳＥＴとを備える。セット入力端子ＳＥＴは、後述の光検知回路１８と接続されている。ラッチ回路１５ａのセット入力端子ＳＥＴには、光検知回路１８から光検知信号ｓ１が入力される。光検知信号ｓ１は、光検知回路１８が所定レベル以上の発光量を検知しないときはＬレベルとなり、所定レベル以上の発光量を検知したときはＨレベルとなるパルス信号である。光検知信号ｓ１は、検知信号用配線ｗ５を通じて送信される。検知信号用配線ｗ５は、光検知回路１８と起動回路１５との間を接続する配線である。
【００２３】
ラッチ回路１５ａは、反転リセット入力端子／ＲＥＳＥＴの入力がＬレベルのときに、セット入力端子ＳＥＴの入力がＨレベルになると、出力端子ＱをＨレベルとする。この後、セット入力端子ＳＥＴの入力はＬレベルに戻るが、出力端子ＱはＨレベルが保持される。
【００２４】
ラッチ回路１５ａの反転リセット入力端子／ＲＥＳＥＴは、後述の充電電圧検出回路１７と接続されている。反転リセット入力端子／ＲＥＳＥＴには、充電電圧検出回路１７から充電電圧検出信号ｓ２が入力される。なお、反転リセット入力端子／ＲＥＳＥＴは、反転入力となる。すなわち、充電電圧検出信号ｓ２がＨレベルのとき、反転リセット入力端子／ＲＥＳＥＴの入力はＬレベルとなる。また、充電電圧検出信号ｓ２がＬレベルのとき、反転リセット入力端子／ＲＥＳＥＴの入力はＨレベルとなる。
【００２５】
ラッチ回路１５ａは、セット入力端子ＳＥＴの入力がＬレベルであり、反転リセット入力端子／ＲＥＳＥＴの入力がＬレベルのときは、出力端子ＱはＨレベルのままで、スイッチング素子ＳＷ１のゲート（Ｇ）もＨレベルのままとなる。なお、後述する充電電圧検出回路１７は、充電電圧が所定電圧レベルに達していないときは、充電電圧検出信号ｓ２をＨレベルとする。充電電圧検出信号ｓ２がＨレベルであれば、上記のように反転リセット入力端子／ＲＥＳＥＴの入力はＬレベルとなるため、出力端子ＱのＨレベルは変化しない。従って、スイッチング素子ＳＷ１のゲート（Ｇ）はＬレベルのままとなる。このように、スイッチング素子ＳＷ１のゲート（Ｇ）がＬレベルであれば、スイッチング素子ＳＷ１のドレイン（Ｄ）から昇圧制御回路１６へ昇圧動作電圧Ｖｏｕｔが出力され、昇圧回路１３における昇圧動作が継続することになる。
【００２６】
ラッチ回路１５ａは、セット入力端子ＳＥＴの入力がＬレベルのときに、反転リセット入力端子／ＲＥＳＥＴの入力がＨレベルになると、出力端子ＱをＬレベルとする。後述する充電電圧検出回路１７は、充電電圧が所定電圧レベルに達すると、充電電圧検出信号ｓ２をＬレベルとする。充電電圧検出信号ｓ２がＬレベルになると、上記のように反転リセット入力端子／ＲＥＳＥＴの入力はＨレベルとなる。従って、ラッチ回路１５ａの出力端子ＱはＬレベルとなる。
【００２７】
ラッチ回路１５ａの出力端子ＱがＬレベルになると、ゲート素子Ｇ１では、入力端子ＡがＨレベル、入力端子ＢがＬレベルとなるため、出力端子ＸはＨレベルとなる。すると、スイッチング素子ＳＷ１がオフして、ドレイン（Ｄ）から昇圧制御回路１６への昇圧動作電圧Ｖｏｕｔの出力が停止する。これにより、電源部１０の電池電圧はトランスＴの一次巻線Ｔｆに供給されなくなる。従って、昇圧回路１３における昇圧動作が停止する。
【００２８】
一方、ラッチ回路１５ａの出力端子ＱがＬレベルになると、ゲート素子Ｇ２では、反転入力端子／ＡがＨレベル、入力端子ＢがＬレベルとなるため、ランプＬ２にＬレベルが出力される。このように、充電電圧が所定時間内に所定電圧レベル以上となった場合、すなわち、後述する主コンデンサＣ１の充電が通常の時間内に完了した場合は、昇圧動作の強制的な停止ではないので、ランプＬ２は消灯したままとなる。
【００２９】
昇圧制御回路１６は、後述の光検知回路１８からの光検知信号ｓ１（Ｈレベル又はＬレベル）に応じて、昇圧回路１３における昇圧動作の開始又は停止を制御する回路である。昇圧制御回路１６は、発振回路１６ａ、制御回路１６ｂ、及びランプＬ１を備える。発振回路１６ａは、昇圧動作電圧Ｖｏｕｔの入力により、所定周波数の交流信号を発生する回路である。制御回路１６ｂは、発振回路１６ａで発生した交流信号に基づいて、スイッチング素子ＳＷ２のゲート（Ｇ）に対して所定レベルのゲート電圧を交流電圧として出力する回路である。所定レベルのゲート電圧とは、スイッチング素子ＳＷ２のゲート（Ｇ）をオンさせる電圧である。ランプＬ１は、ユーザに充電中であることを知らせる表示手段である。ランプＬ１は、充電中は点灯し、充電停止で消灯する。
【００３０】
昇圧制御回路１６は、定電圧回路１１から昇圧動作電圧Ｖｏｕｔが入力されると、所定レベルのゲート電圧を交流電圧としてスイッチング素子ＳＷ２のゲート（Ｇ）に印加する。スイッチング素子ＳＷ２は、ゲート（Ｇ）に所定レベルのゲート電圧が印加されると、ソース（Ｓ）とドレイン（Ｄ）との間が導通する。ゲート電圧は交流電圧であるため、ソース（Ｓ）とドレイン（Ｄ）との間が周期的に導通すると、トランスＴの一次巻線Ｔｆには、電源電圧Ｖｃｃが交番電圧として供給される。昇圧回路１３は、トランスＴの一次巻線Ｔｆに電源電圧Ｖｃｃが交番電圧として供給されると、昇圧動作を開始する。昇圧動作が開始されると、トランスＴの二次巻線Ｔｓには、交流の高電圧が出力される。
【００３１】
このように、昇圧制御回路１６は、後述の光検知回路１８で所定レベル以上の発光量が検知されると、昇圧回路１３への電源電圧Ｖｃｃの供給を開始して、昇圧回路１３に昇圧動作を実行させる機能を備える。
【００３２】
また、昇圧制御回路１６は、定電圧回路１１から昇圧動作電圧Ｖｏｕｔが入力されなくなると、発振回路１６ａにおける発振動作を停止する。これにより、所定レベルのゲート電圧がスイッチング素子ＳＷ２のゲート（Ｇ）に出力されなくなり、ソース（Ｓ）とドレイン（Ｄ）との間が非導通となる。このため、トランスＴの一次巻線Ｔｆには、電源電圧Ｖｃｃが供給されなくなる。また、発振回路１６ａにおける発振動作が停止すると、ランプＬ１も消灯する。
【００３３】
上述したように、起動回路１５のラッチ回路１５ａは、セット入力端子ＳＥＴの入力がＬレベルのときに、反転リセット入力端子／ＲＥＳＥＴの入力がＨレベルになると、出力端子Ｑにおけるラッチ信号をＬレベルとする。この結果、ゲート素子Ｇ１によりスイッチング素子ＳＷ１がオフして、ドレイン（Ｄ）から昇圧制御回路１６への昇圧動作電圧Ｖｏｕｔの出力が停止する。
【００３４】
このように、昇圧制御回路１６は、後述の充電電圧検出回路１７において充電電圧の電圧レベルが所定電圧レベルに達したことが検出されると、昇圧回路１３への電源電圧Ｖｃｃの供給を停止する機能を備える。
【００３５】
充電電圧検出回路１７は、高電圧出力端子Ｔ１、Ｔ２に出力された充電電圧の電圧レベルを監視する回路である。充電電圧検出回路１７は、高電圧出力端子Ｔ１、Ｔ２の間に直列に接続された抵抗Ｒ１、Ｒ２と、一定の基準電圧を発生する基準電圧部１７ａと、電圧比較回路１７ｂとを備える。抵抗Ｒ１、Ｒ２は、分圧回路を構成する。この分圧回路で分圧された分圧電圧は、電圧比較回路１７ｂの−（マイナス）側の入力端子に入力される。基準電圧部１７ａからの基準電圧は、電圧比較回路１７ｂの＋（プラス）側の入力端子に入力される。電圧比較回路１７ｂは、分圧電圧と基準電圧とを比較して、分圧電圧が基準電圧よりも高い場合には、充電電圧検出信号ｓ２をＬレベルとし、低い場合は充電電圧検出信号ｓ２をＨレベルとする。
【００３６】
充電電圧検出回路１７は、充電電圧が所定電圧レベルに達していないとき（昇圧回路１３の昇圧動作中）は、分圧電圧が基準電圧よりも低いため、充電電圧検出信号ｓ２をＨレベルとする。一方、充電電圧が所定電圧レベルに達すると、分圧電圧が基準電圧よりも高くなるため、充電電圧検出信号ｓ２をＬレベルとする。なお、抵抗Ｒ１、Ｒ２の抵抗値、及び基準電圧部１７ａの基準電圧は、充電電圧（例えば、３３０Ｖ）に応じて設定される。
【００３７】
光検知回路１８は、照明装置２から発せられた光を検知して、光検知信号ｓ１を出力する回路である。本実施形態の光検知回路１８は、所定レベル以上の発光量を検知したときに、光検知信号ｓ１をＨレベルとする。光検知回路１８については後に詳述する。
【００３８】
次に、照明装置２の構成について説明する。図２は、第１実施形態における照明装置２の回路構成図である。図１に示すように、照明装置２は、電源部２０、定電圧回路２１、昇圧回路２２、充電電圧検出回路２３、主コンデンサＣ１、発光制御部２４、キセノン発光管２５、トリガ回路２６、及び制御回路２７などを備える。
【００３９】
電源部２０は、照明装置２の電源となる電池が装填される電池室である。電源部２０からは、所定電圧の電源電圧Ｖｃｃが出力される。
【００４０】
定電圧回路２１は、電源部２０から出力された電源電圧Ｖｃｃに基づいて、昇圧回路２２に昇圧動作電圧Ｖｓを出力する回路である。定電圧回路２１は、昇圧動作電圧Ｖｓを制御回路２７にも出力する。
【００４１】
昇圧回路２２は、不図示のＤＣ−ＤＣコンバータを備える。昇圧回路２２は、制御回路２７から出力される昇圧制御信号ａがＬレベルからＨレベルとなるのに応答して、定電圧回路２１から供給される昇圧動作電圧Ｖｓを、直流の高電圧に変換し、充電電圧として出力する。
【００４２】
主コンデンサＣ１は、後述のキセノン発光管２５に高電圧を供給する回路素子であり、ダイオードＤ１、Ｄ２の出力側とＧＮＤとの間に接続されている。昇圧回路２２から出力された充電電圧は、ダイオードＤ１を介して主コンデンサＣ１に充電される。また、上述した電源装置１から出力され、高電圧入力端子Ｔ３、Ｔ４から電力用配線ｗ３、ｗ４を介して入力された充電電圧は、ダイオードＤ２を介して主コンデンサＣ１に充電される。主コンデンサＣ１は、外部の電源装置１から充電電圧の供給を受けない場合は、定電圧回路２１の昇圧動作電圧Ｖｓを昇圧した充電電圧により充電される。また、電源装置１から充電電圧の供給を受けた場合は、定電圧回路２１の昇圧動作電圧Ｖｓを昇圧した充電電圧に加えて、電源装置１からの充電電圧により充電される。
【００４３】
充電電圧検出回路２３は、主コンデンサＣ１の両端の電圧を監視して、主コンデンサＣ１の充電電圧が所定電圧レベルに達したかどうかを検出する回路である。充電電圧検出回路２３は、主コンデンサＣ１の充電電圧が所定電圧レベルに達したことを検出すると、制御回路２７に出力する電圧検出信号ｂをＬレベルからＨレベルに変移させる。また、充電電圧検出回路２３は、主コンデンサＣ１の充電電圧が所定電圧レベルに達していないことを検出すると、制御回路２７に出力する電圧検出信号ｂをＨレベルからＬレベルに変移させる。
【００４４】
発光制御部２４は、制御回路２７から供給される発光許可信号ｃがＬレベルからＨレベルに変移するのに応答して、駆動素子ＩＧＢＴ（Ｉｎｓｕｌａｔｅｄ  Ｇａｔｅ  Ｂｉｐｏｌａｒ  Ｔｒａｎｓｉｓｔｏｒ）がオンする電圧を駆動素子ＩＧＢＴのゲート（Ｇ）に印加する回路である。駆動素子ＩＧＢＴのゲート（Ｇ）がオンすると、駆動素子ＩＧＢＴのコレクタ（Ｃ）とエミッタ（Ｅ）との間が導通して、キセノン発光管２５の発光用電極２５ａ及び２５ｂに、主コンデンサＣ１に蓄えられた充電電圧が印加されるとともに、キセノン発光管２５の不図示のトリガ電極にトリガ電圧が印加される。これにより、キセノン発光管２５が発光する。また、発光制御部２４は、制御回路２７から供給される発光許可信号ｃがＨレベルからＬレベルに変移するのに応答して、駆動素子ＩＧＢＴがオフする電圧を駆動素子ＩＧＢＴのゲート（Ｇ）に印加する。これにより、キセノン発光管２５の発光が停止する。
【００４５】
キセノン発光管２５は、内部にキセノンガスが充填された放電管である。キセノン発光管２５の発光用電極２５ａは、主コンデンサＣ１の＋側と接続され、発光用電極２５ｂは、駆動素子ＩＧＢＴを介して主コンデンサＣ１の−側と接続されている。また、キセノン発光管２５の発光用電極２５ａ、２５ｂ及び不図示のトリガ電極は、後述のトリガ回路２６と接続されている。キセノン発光管２５は、発光用電極２５ａ、２５ｂの間に高電圧が印加された状態で、トリガ電極にトリガ電圧が印加されることにより放電が始まる。これにより、内部に充填されたキセノンガスが励起して、発光用電極２５ａと２５ｂとの間を発光電流が流れ、発光が生じる。
【００４６】
トリガ回路２６は、キセノン発光管２５のトリガ電極に数ｋＶのトリガ電圧を印加する回路であり、トランス２６ａ、抵抗Ｒ、コンデンサＣ２を備える。トリガ回路２６は、駆動素子ＩＧＢＴのゲート（Ｇ）がオンすると、トランス２６ａの一次巻線及びコンデンサＣ２のＬＣ発振により、二次巻線に高電圧のトリガ電圧が発生させる。このトリガ電圧がキセノン発光管２５の不図示のトリガ電極に印加されると、上述したように、キセノン発光管２５の内部に充填されたキセノンガスが励起して、キセノン発光管２５が発光する。
【００４７】
制御回路２７は、照明装置２の動作を統括的に制御する回路である。制御回路２７は、図示しないカメラからの発光開始要求に応答して、発光許可信号ｃをＬレベルからＨレベルに変移させる。この結果、駆動素子ＩＧＢＴのゲート（Ｇ）がオンして、キセノン発光管２５が発光する。また、制御回路２７は、カメラからの発光停止要求に応答して、発光許可信号ｃをＨレベルからＬレベルに変移させる。この結果、駆動素子ＩＧＢＴのゲート（Ｇ）がオフして、キセノン発光管２５の発光が停止する。
【００４８】
また、制御回路２７は、照明装置２の電源がオンしたとき、又は充電電圧検出回路２３から出力される電圧検出信号ｂがＬレベルのときに、昇圧制御信号ａをＬレベルからＨレベルに変移させて、主コンデンサＣ１を充電させる。そして、充電電圧検出回路２３から出力される電圧検出信号ｂがＬレベルからＨレベルに変移すると、主コンデンサＣ１の充電電圧が所定電圧レベルに達したと判断して、昇圧制御信号ａをＨレベルからＬレベルに変移させ、主コンデンサＣ１への充電を停止させる。
【００４９】
更に、制御回路２７は、定電圧回路２１から出力される昇圧動作電圧Ｖｓを監視する。制御回路２７は、昇圧動作電圧Ｖｓが所定電圧レベル以下となった場合に、不図示の表示パネルに電池容量不足画面を表示するなどして、ユーザに電源部２０の電池容量が少ないことを通知する。また、制御回路２７は、上述した内部回路と接続するＧＮＤ（接地）端子を備える。
【００５０】
次に、光検知回路１８とその配置について説明する。図３は、光検知回路１８の回路構成図である。光検知回路１８は、受光センサＰＤ、抵抗Ｒ１１〜Ｒ１３、コンデンサＣ１１、Ｃ１２、ショットキーダイオードＤ１１、トランジスタＴｒ、及び増幅回路１８ａを備える。
【００５１】
図３に示すように、トランジスタＴｒのベース（Ｂ）−エミッタ（Ｅ）間には、コンデンサＣ１１が接続されている。また、トランジスタＴｒのベース（Ｂ）と電源Ｖｄｄとの間には、抵抗Ｒ１１、Ｒ１２が直列に接続されている。この２つの抵抗の接続点とトランジスタＴｒのコレクタ（Ｃ）との間には、ショットキーダイオードＤ１１が接続されている。トランジスタＴｒ、コンデンサＣ１１、抵抗Ｒ１１、Ｒ１２、及びショットキーダイオードＤ１１などによりＡＧＣ（オート・ゲイン・コントロール）回路が構成されている。受光センサＰＤは、トランジスタＴｒのコレクタ（Ｃ）と電源Ｖｄｄ間に接続されている。受光センサＰＤのアノード側には、コンデンサＣ１２及び抵抗Ｒ１３からなるＣＲ回路が接続されている。更に、後段に増幅回路１８ａが接続されている。
【００５２】
上記構成によると、照明装置２が発光しなければ、受光センサＰＤで受光する定常光の発光量は所定レベル未満となるため、受光センサＰＤで光電流は発生しない。このため、２つの抵抗Ｒ１１、Ｒ１２を通じてトランジスタＴｒのベース（Ｂ）−エミッタ（Ｅ）間に供給されるバイアス電流は、トランジスタＴｒを動作する電流量にならない。この場合、コレクタ（Ｃ）−エミッタ（Ｅ）間に電流は流れないので、後段の増幅回路１８ａに電流は出力されない。このときの増幅回路１８ａからの信号出力は、Ｌレベルの光検知信号ｓ１となる。一方、照明装置２が発光すると、その発光量は所定レベル以上となるため、受光センサＰＤは光電流を発生する。これにより、トランジスタＴｒのベース（Ｂ）−エミッタ（Ｅ）間には、トランジスタＴｒを動作させるのに十分な電流量のバイアス電流が供給される。このため、コレクタ（Ｃ）−エミッタ（Ｅ）間に電流が流れ、上記ＣＲ回路を経て、後段の増幅回路１８ａに電流が出力される。このときの増幅回路１８ａからの信号出力は、Ｈレベルの光検知信号ｓ１となる。
【００５３】
図４は、第１実施形態における電源装置１の外観図である。上述したように、電源装置１は、電源コード３を介してコネクタ４と接続されている。電源コード３は、電源装置１と高電圧出力端子Ｔ１、Ｔ２との間を接続する不図示の電力用配線ｗ１、ｗ２を内蔵する。
【００５４】
電源装置１は、受光センサ窓６と、遮光カバー７とを備える。受光センサ窓６は、電源装置１の一側面に設けられた矩形の開口部であり、表面に不図示の透明カバーが取り付けられている。光検知回路１８は、受光センサ窓６の内側に配置されている。光検知回路１８の受光センサＰＤ（図３参照）は、受光センサ窓６において受光面が外部に露出するように配置されている。遮光カバー７は、受光センサ窓６の近傍に設けられている。遮光カバー７は、図４に示す矢印方向に沿って、電源装置１の側面を移動可能に構成されている。図４に示すように、遮光カバー７を受光センサ窓６と反対側にスライドさせると、受光センサ窓６に外部からの入射光が入射する状態となる。また、遮光カバー７を受光センサ窓６側にスライドさせると、遮光カバー７により受光センサ窓６が覆われる。このため、受光センサ窓６に外部からの入射光が入射しない状態となる。すなわち、遮光カバー７は、外部からの入射光を遮断する遮光手段として機能する。
【００５５】
本実施形態では、図４に示すように、光検知回路１８が電源装置１内に設けられている。このため、電源装置１は、照明装置２の近傍に配置されることが望ましい。例えば、不図示のカメラと照明装置２とを、不図示の専用ブラケットにより横並びに装着した場合は、このブラケットの下部などに取り付けられる。
【００５６】
図５は、第１実施形態の照明装置２におけるコネクタ４の取り付け位置を示す外観図である。照明装置２は、キセノン発光管２５が配置された発光部２ａの下方に、コネクタ接続部５を備える。コネクタ接続部５は、断面略凸形状の高電圧入力端子Ｔ３、Ｔ４を備える。図４に示すコネクタ４をコネクタ接続部５に装着すると、コネクタ４の高電圧出力端子Ｔ１、Ｔ２と、コネクタ接続部５の高電圧入力端子Ｔ３、Ｔ４とが嵌合して、電気的に導通する。
【００５７】
次に、上記のように構成された電源装置１及び照明装置２の動作について説明する。図２に示す照明装置２の制御回路２７は、主コンデンサＣ１の充電電圧が所定電圧レベルに達している状態で、図示しないカメラからの発光開始要求を受信すると、発光許可信号ｃをＬレベルからＨレベルに変移させる。これによって、駆動素子ＩＧＢＴのゲート（Ｇ）がオンして、主コンデンサＣ１に蓄えられていた充電電圧がキセノン発光管２５に印加されるとともに、キセノン発光管２５の不図示のトリガ電極にトリガ回路２６からトリガ電圧が印加される。この結果、キセノン発光管２５の内部に充填されたキセノンガスが励起して、キセノン発光管２５が発光する。
【００５８】
上記のように、キセノン発光管２５が発光すると、照明装置２の発光部２ａから照明光が照射される。この照明光の一部は、電源装置１に設けられた光検知回路１８の受光センサＰＤで受光される。光検知回路１８は、所定レベル以上の発光量を検知すると、光検知信号ｓ１をＬレベルからＨレベルに変移させる。Ｈレベルの光検知信号ｓ１は、検知信号用配線ｗ５を介して電源装置１の起動回路１５に送信され、ラッチ回路１５ａのセット入力端子ＳＥＴに入力される。
【００５９】
起動回路１５のラッチ回路１５ａは、反転リセット入力端子／ＲＥＳＥＴの入力がＬレベルのときに、セット入力端子ＳＥＴにＨレベルの光検知信号ｓ１が入力すると、出力端子ＱはＨレベルとなる。出力端子ＱがＨレベルになると、ゲート素子Ｇ１、Ｇ２のそれぞれの入力端子ＢはＨレベルとなる。また、ワンショット回路１２は、ゲート素子Ｇ１の入力端子Ａ、及びゲート素子Ｇ２の反転入力端子／ＡをＨレベルとする。これにより、ゲート素子Ｇ１では、入力端子Ａ、ＢがＨレベルとなるため、出力端子ＸはＬレベルとなる。すると、スイッチング素子ＳＷ１がオンして、ドレイン（Ｄ）から昇圧動作電圧Ｖｏｕｔが昇圧制御回路１６へ出力される。また、ゲート素子Ｇ２では、反転入力端子／ＡがＬレベル、入力端子ＢがＨレベルとなるため、ランプＬ２はＬレベルとなり、ランプＬ２は消灯する。
【００６０】
昇圧制御回路１６は、スイッチング素子ＳＷ１がオンして、定電圧回路１１から昇圧動作電圧Ｖｏｕｔが入力されると、所定レベルのゲート電圧を交流電圧としてスイッチング素子ＳＷ２のゲート（Ｇ）に印加する。これにより、スイッチング素子ＳＷ２のソース（Ｓ）とドレイン（Ｄ）との間が周期的に導通して、トランスＴの一次巻線Ｔｆに、電源部１０の電源電圧Ｖｃｃが交番電圧として供給される。トランスＴの一次巻線Ｔｆに電源電圧Ｖｃｃが交番電圧として供給されると、昇圧回路１３の昇圧動作が開始される。
【００６１】
昇圧回路１３で昇圧された電源電圧Ｖｃｃは、昇圧回路１３の二次巻線Ｔｓから交流の高電圧として出力される。昇圧回路１３から出力された交流の高電圧は、整流回路１４で直流の高電圧に変換され、充電電圧として高電圧出力端子Ｔ１、Ｔ２に出力される。この充電電圧は、図４に示すように、コネクタ４を介して照明装置２へ供給される。すなわち、充電電圧は、コネクタ４の高電圧出力端子Ｔ１、Ｔ２から、コネクタ接続部５の高電圧入力端子Ｔ３、Ｔ４へ供給される。この後、充電電圧は、照明装置２の主コンデンサＣ１に充電される。
【００６２】
一方、充電電圧検出回路１７は、高電圧出力端子Ｔ１、Ｔ２から出力された充電電圧の電圧レベルが所定電圧レベルに達すると、充電電圧検出信号ｓ２をＬレベルとする。起動回路１５は、充電電圧検出信号ｓ２がＬレベルとなり、反転リセット入力端子／ＲＥＳＥＴの入力がＨレベルになると、出力端子ＱをＬレベルとする（このとき、セット入力端子ＳＥＴの入力はＬレベル）。これにより、ゲート素子Ｇ１では、入力端子ＡがＨレベルのままで、入力端子ＢがＬレベルとなるため、スイッチング素子ＳＷ１のゲート（Ｇ）はＨレベルとなる。この結果、スイッチング素子ＳＷ１がオフして、ドレイン（Ｄ）から昇圧制御回路１６への昇圧動作電圧Ｖｏｕｔの出力が停止する。これにより、電源部１０の電源電圧Ｖｃｃは、トランスＴの一次巻線Ｔｆに供給されなくなり、昇圧回路１３における昇圧動作が停止する。
【００６３】
上述した第１実施形態によれば、以下の効果を奏する。
（１）電源装置１の昇圧制御回路１６は、照明装置２の発光を検知するとＨレベルの光検知信号ｓ１を発する光検知回路１８から、当該光検知信号ｓ１が発せられると、昇圧回路１３へ電源電圧Ｖｃｃを供給して昇圧動作を実行させる。このため、図示しないカメラからのシンクロ信号が使えない場合においても、照明装置２が発光した場合には、光検知回路１８から発せられた光検知信号ｓ１により、主コンデンサＣ１の充電を開始することができる。また、電源装置１に、シンクロ端子やカメラと電源装置１との間を接続するケーブルが不要となる。
（２）電源装置１は、照明装置２が発光しない場合には主コンデンサＣ１の充電を開始せず、照明装置２が発光した場合のみ充電を開始する。このため、発光の有無にかかわらず昇圧動作を繰り返し行う従来の電源装置に比べて、電池の消耗を最小限に抑えることができる。この場合、電源スイッチをオンしたままでも電池の消耗が抑えられるため、ユーザは使用頻度に応じて電源スイッチをオンオフする必要がない。また、電源装置１の電源スイッチを省いた構成とすることもできる。
（３）昇圧制御回路１６は、充電電圧検出回路１７において充電電圧が所定電圧レベルに達したことが検出されると、昇圧回路１３への電源電圧Ｖｃｃの供給を停止する。このため、主コンデンサＣ１の充電後における電池の余計な消耗を抑えることができる。
（４）光検知回路１８は、所定レベル以上の発光量を検知したときだけＨレベルの光検知信号ｓ１を出力する。このため、例えば、モニタ発光や赤目軽減発光などの所定レベル未満の小光量の発光では昇圧動作は行われない。なお、モニタ発光とは、照明装置２が本発光前に被写体反射率を測定するために発光させる小光量の発光である。また、赤目軽減発光とは、被写体となる人物の瞳が赤目状態で撮影されるのを軽減するために本発光前に複数回行う小光量の発光である。本実施形態では、本発光よりも発光量が少ないこれらの発光に対しては、照明装置２の内部で昇圧した充電電圧により主コンデンサＣ１が充電される。このように、電源装置１では、本来の本発光が行われたときの発光に対してのみ昇圧動作を行うので、本発光でない発光が行われたときの昇圧動作により電池が消耗するのを防止することができる。
（５）昇圧制御回路１６は、光検知回路１８で所定レベル以上の発光量を検知しないときは、発振回路１６ａの発振動作を停止する。このため、昇圧制御回路１６における電力消費を抑えることができる。また、発振回路１６ａとともに制御回路１６ｂの動作も停止するようにした場合は、昇圧制御回路１６における電力消費をほぼゼロとすることができる。
（６）ワンショット回路１２は、光検知回路１８で所定レベル以上の発光量を検知したときから所定時間内に、充電電圧検出回路１７において充電電圧が所定電圧レベルに達したことが検知されない場合は、昇圧回路１３への電源電圧Ｖｃｃの供給を停止する。このため、容量の少なくなった電池の無駄な消費を抑えるとともに、電池の過放電を防ぐことができる。また、上記のように昇圧回路１３への電源電圧Ｖｃｃの供給を停止した場合は、ランプＬ２が点灯するので、ユーザは電池消耗による昇圧動作の強制的な停止を知ることができる。従って、ユーザは電池交換することで速やかに撮影を継続することが可能となる。
（７）光検知回路１８は、電源装置１に設けられている。このため、光検知回路１８の受光センサＰＤが、不図示のカメラのレンズと同じ被写体側に向くように電源装置１を配置することにより、光検知回路１８において、被写体からの反射光を確実に検知することができる。
（８）光検知回路１８は、外部からの入射光を遮光する遮光カバー７を備えている。このため、照明装置２を非発光とするときは、遮光カバー７により光検知回路１８の受光センサＰＤを遮光することにより、不要な昇圧動作が行われないようにすることができる。また、照明装置２を発光させるときには、遮光カバー７を開いて受光センサＰＤを外部に露出させることにより、速やかに昇圧動作を行わせることができる。
（第２実施形態）
【００６４】
次に、第２実施形態について説明する。この第２実施形態における照明装置２は、第１実施形態と同じであるため、説明を省略する。以下、第１実施形態と同じく「照明装置２」と標記する。
【００６５】
図６は、第２実施形態における電源装置１Ａの回路構成図である。本実施形態の電源装置１Ａは、検知信号受信部１９を備える。その他の構成は第１実施形態の電源装置１と同じである。検知信号受信部１９は、照明装置２に設けられた光検知回路１８から送信される光検知信号ｓ１を受信するための受信部である。検知信号受信部１９は、検知信号用配線ｗ５により起動回路１５と接続されている。光検知回路１８から送信された光検知信号ｓ１は、検知信号用配線ｗ６を介して検知信号受信部１９へ送信される。検知信号用配線ｗ６は、光検知回路１８と検知信号受信部１９との間を接続する配線である。検知信号受信部１９で受信された光検知信号ｓ１は、検知信号用配線ｗ５を介して起動回路１５に送信される。
【００６６】
次に、光検知回路１８の配置について説明する。図７は、第２実施形態における電源装置１Ａの外観図である。図７に示すように、電源装置１Ａは、電源コード３を介してコネクタ４Ａと接続されている。コネクタ４Ａは、断面略凹形状の高電圧出力端子Ｔ１、Ｔ２と、光検知回路１８と、受光センサ窓６Ａ、遮光カバー７Ａと、を備える。
【００６７】
受光センサ窓６Ａは、コネクタ４Ａの上面に設けられた矩形の開口部である。この開口部の表面には、不図示の透明カバーが取り付けられている。光検知回路１８は、受光センサ窓６Ａの内側に設けられている。光検知回路１８の不図示の受光センサＰＤは、受光センサ窓６Ａにおいて、不図示の受光面が外部に露出するように配置されている。光検知回路１８は、後述するように、コネクタ４Ａが照明装置２のコネクタ接続部５に対して正しい向きで装着されたときに、受光面が照明装置２の発光部２ａ側に位置するように配置される。
【００６８】
遮光カバー７Ａは、受光センサ窓６Ａの近傍に設けられている。遮光カバー７Ａは、図７に示す矢印方向に沿って、コネクタ４Ａの上面を移動可能に構成されている。遮光カバー７Ａを受光センサ窓６Ａと反対側にスライドさせると、受光センサ窓６Ａに外部からの入射光が入射する状態となる。また、遮光カバー７Ａを受光センサ窓６Ａ側にスライドさせると、遮光カバー７Ａにより受光センサ窓６Ａが覆われる。このため、受光センサ窓６Ａに外部からの入射光が入射しない状態となる。すなわち、遮光カバー７Ａは、外部からの入射光を遮断する遮光手段として機能する。
【００６９】
電源コード３は、電源装置１と高電圧出力端子Ｔ１、Ｔ２との間を接続する不図示の電力用配線ｗ１、ｗ２と、検知信号用配線ｗ６と、を内蔵する。上述したように、光検知回路１８から送信された光検知信号ｓ１は、検知信号用配線ｗ６を介して検知信号受信部１９へ送信される。そして、検知信号受信部１９で受信された光検知信号ｓ１は、検知信号用配線ｗ５を介して起動回路１５に送信され、ラッチ回路１５ａのセット入力端子ＳＥＴに入力される。光検知信号ｓ１のレベル変化に対する起動回路１５の動作は、第１実施形態と同じであるため説明を省略する。
【００７０】
図８は、第２実施形態の照明装置２におけるコネクタ４Ａの取り付け状態を示す外観図である。照明装置２は、キセノン発光管２５が配置された発光部２ａの下方に、コネクタ接続部５を備える。このコネクタ接続部５は、第１実施形態と同じく断面略凸形状の高電圧入力端子Ｔ３、Ｔ４を備える（端子の図示を省略）。コネクタ４Ａを、コネクタ接続部５に対して正しい向きで装着すると、コネクタ４Ａの高電圧出力端子Ｔ１、Ｔ２と、コネクタ接続部５の高電圧入力端子Ｔ３、Ｔ４とが嵌合して、電気的に導通する（端子の図示を省略）。照明装置２と接続された電源装置１Ａの動作は第１実施形態と同じであるため説明を省略する。
【００７１】
また、コネクタ４Ａを、コネクタ接続部５に対して正しい向きに装着すると、図８に示すように、コネクタ４Ａに設けられた光検知回路１８の不図示の受光面は、照明装置２の発光部２ａ側を向くことになる（図８では、遮光カバー７Ａを省略）。これにより、光検知回路１８の受光センサＰＤは、照明装置２が発光したときに、発光部２ａから照射される照明光の一部を上記受光面により受光することができる。すなわち、照明装置２が発光すると、発光部２ａから照射される照明光の一部が上記受光面により受光される。
【００７２】
上述した第２実施形態によれば、第１実施形態の（１）〜（５）及び（７）と同等の効果を奏するとともに、以下の効果を奏する。
本実施形態では、光検知回路１８が照明装置２に設けられている。このため、光検知回路１８の受光センサＰＤは、被写体に対して電源装置１Ａがどのような位置にあっても、被写体からの反射光を検知することができる。これによれば、ユーザは、電源装置１Ａを被写体に向けて保持する必要がないので、撮影状況に応じて所望の位置に電源装置１Ａを保持することができる。また、光検知回路１８は、照明装置２の発光部２ａの近傍に設けられるため、照明装置２から照射された照明光を確実に検知することができる。
【００７３】
（変形形態）
以上説明した実施形態に限定されることなく、本発明は以下に示すような種々の変形や変更が可能であり、それらも本発明の範囲内である。
（１）上記実施形態では、所定レベル以上の発光量を検知したときだけ昇圧動作を行う例について示したが、モニタ発光や赤目軽減発光などの所定レベル未満の発光量を検知したときにも昇圧動作を行うようにしてもよい。また、光検知回路１８のＡＧＣ回路において、ゲイン調整が可能となるように構成して、光検知回路１８がＨレベルの光検知信号ｓ１を発する際の判定レベルを切り替え可能としてもよい。これによれば、ユーザは、撮影状況に応じて、本発光のときのみ昇圧動作を行う、又は、モニタ発光や赤目軽減発光などの小光量の発光でも昇圧動作を行う、という切り替えを行うことができる。
（２）光検知回路１８の受光センサＰＤは、上記実施形態に示すフォトダイオードに限らず、光が当たると電気的な特性が変化する素子全般を用いることができる。例えば、光が当たると抵抗値が低くなるＣｄｓ素子を用いることができる。
（３）第２実施形態では、光検知回路１８を照明装置２に設けた例について示したが、光検知回路１８は、照明装置２から発せられる照明光を受光することができれば、どこに設けてもよい。また、光検知回路１８において、受光センサＰＤのみが照明装置２に配置され、それ以外の増幅回路１８ａなどは電源装置１Ａに配置されていてもよい。
【００７４】
また、上記実施形態及び変形形態は適宜に組み合わせて用いることができるが、各実施形態の構成は図示と説明により明らかであるため、詳細な説明を省略する。さらに、本発明は以上説明した実施形態によって限定されることはない。
【符号の説明】
【００７５】
１，１Ａ：電源装置、２：照明装置、３：電源コード、４，４Ａ：コネクタ、５：コネクタ接続部、６，６Ａ：受光センサ窓、７，７Ａ：遮光カバー、１０，２０：電源部、１１，２１：定電圧回路、１２：ワンショット回路、１３，２２：昇圧回路、１４：整流回路、１５：起動回路、１５ａ：ラッチ回路、１５ｂ：検知信号制御回路、１６：昇圧制御回路、１７：充電電圧検出回路、１８：光検知回路、１９：検知信号受信部、２３：充電電圧検出回路、２４：発光制御部、２５：キセノン発光管、２６：トリガ回路、２７：制御回路、Ｃ１：主コンデンサ
【図１】
2010262064.tif 000003
【図２】
2010262064.tif 000004
【図３】
2010262064.tif 000005
【図４】
2010262064.tif 000006
【図５】
2010262064.tif 000007
【図６】
2010262064.tif 000008
【図７】
2010262064.tif 000009
【図８】
2010262064.tif 000010